(57)【要約】硬い表面用の液体の２液式液体洗浄組成物、及び該洗浄剤を投与するための２チャンバボトル（１０）が開示されている。洗浄剤は、第１の塩基性の液体と、第２の酸性の液体と、を含む。少なくとも１つの液体が、界面活性剤系を含む。少なくとも１つの液体が、発泡防止剤を含む。第１及び第２の液体が表面に投与されると、放出された二酸化炭素ガスが、ただちに、急速に崩壊する泡を該表面で作り出す。ボトルの第１及び第２のチャンバ（２０，４０）は水平方向に配向されているので、投与時にユーザの親指が前壁上にあり、ユーザの他の指がボトルの後壁上にあることが保証される。水平方向は、人間工学的に有利な幅広い動きを可能にする。ボトル（１０）の前壁上にユーザの親指が位置することにより、両チャンバ（２０，４０）からの均等な投与を達成すべくボトルの構成を調節することが可能になる。
2005535527.tif 000002
【特許請求の範囲】
【請求項１】
２つの流動性を有する組成物を投与するためのボトルであって、
第１の流動性を有する組成物のための第１のチャンバであって、下部と上部とを有し、前記第１のチャンバの前記下部は内部嵌合壁と外壁とを有し、前記第１のチャンバの前記上部は内壁と外壁とを有し、前記第１のチャンバの前記上部は第１の出口開口を含む、第１のチャンバと、
第２の流動性を有する組成物のための第２のチャンバであって、下部と上部とを有し、前記第２のチャンバの前記下部は内部嵌合壁と外壁とを有し、前記第２のチャンバの前記上部は内壁と外壁とを有し、前記第２のチャンバの前記上部は第２の出口開口を含む、第２のチャンバと、を含み、
前記第１のチャンバの前記内部嵌合壁が前記第２のチャンバの前記内部嵌合壁と隣接し、これにより、前記ボトルの前壁と、一対の側壁と、後壁とを画定し、
前記内壁が前記前壁と前記後壁との間を延伸し、前記内部嵌合壁が前記側壁の間を延伸し、
第１の出口が前記第１の出口開口と連通し、第２の出口が前記第２の出口開口と連通し、前記第１及び第２の出口が前記第１及び第２の流動性を有する組成物を正面方向に送るように構成されていることを特徴とするボトル。
【請求項２】
前記第１のチャンバの前記上部の前記内壁の少なくとも一部と前記第２のチャンバの前記上部の前記内壁の少なくとも一部とが互いに隣り合っている、請求項１のボトル。
【請求項３】
前記第１のチャンバの前記下部が上壁を含み
前記第２のチャンバの前記下部が上壁を含み、
前記第１のチャンバの前記上部が下壁を含み、
前記第２のチャンバの前記上部が下壁を含み、
前記第１のチャンバの前記上部の前記下壁の少なくとも一部が前記第２のチャンバの前記下部の前記上壁の少なくとも一部と隣接し、
前記第２のチャンバの前記上部の前記下壁の少なくとも一部が前記第１のチャンバの前記下部の前記上壁の少なくとも一部と隣接する、
請求項１のボトル。
【請求項４】
前記第１のチャンバの前記上部の前記下壁が前記第２のチャンバの前記下部の前記上壁を補完する第１の形状を有し、前記第２のチャンバの前記上部の前記下壁が前記第１のチャンバの前記下部の前記上壁を補完する第２の形状を有し、前記第１の形状と前記第２の形状とが異なっている、請求項３のボトル。
【請求項５】
前記第１の出口の第１の軸が前記ボトルの平らな支持面に対して９０°未満の角度を形成し、
前記第２の出口の第２の軸が前記ボトルの前記平らな支持面に対して９０°未満の角度を形成する、
請求項１のボトル。
【請求項６】
前記第１の軸と前記第２の軸とが前記ボトルの前記前壁方向に傾いている、請求項１のボトル。
【請求項７】
前記前壁が、前記第１のチャンバの前記上部の前記外壁の少なくとも一部と、前記第２のチャンバの前記上部の前記外壁の少なくとも一部と、前記第１のチャンバの前記下部の前記外壁の少なくとも一部と、を含む、請求項１のボトル。
【請求項８】
前記第１のチャンバの前記下部の前記外壁部分が、前記第１のチャンバの前記上部の前記外壁部分及びこれと結合した前記第２のチャンバの前記上部の前記外壁部分の表面積の少なくとも半分を有する、請求項７のボトル。
【請求項９】
前記後壁が、前記第１のチャンバの前記上部の前記外壁の少なくとも一部と、前記第２のチャンバの前記上部の前記外壁の少なくとも一部と、前記第２のチャンバの前記下部の前記外壁の少なくとも一部と、を備える、請求項１のボトル。
【請求項１０】
前記第２のチャンバの前記下部の前記外壁部分が、前記第２のチャンバの前記上部の前記外壁部分及びこれと結合した前記第１のチャンバの前記上部の前記外壁部分の表面積の少なくとも半分を有する、請求項９のボトル。
【請求項１１】
前記第１の出口開口の第１の軸から前記第２の出口開口の第２の軸まで延出する仮想線が、前記第１のチャンバの前記内部嵌合壁と９０°未満の角度を形成する、請求項１のボトル。
【請求項１２】
前記第１の出口開口と前記第２の出口開口とが異なる横断面積を有する、請求項１のボトル。
【請求項１３】
前記第１の出口開口と前記第２の出口開口とがプッシュプル式の封止でシールされている、請求項１のボトル。
【請求項１４】
第１の流路が前記第１のチャンバから前記第１の出口開口まで延伸し、
第２の流路が前記第２のチャンバから前記第２の出口開口まで延伸し、
前記第１の流路の長手方向に沿って、該第１の流路の横断面積が前記第１のチャンバから前記第１の出口開口まで減少し、又は前記第２の流路の長手方向に沿って、該第２の流路の横断面積が前記第２のチャンバから前記第２の出口開口まで減少し、又は前記第１の流路の長手方向に沿って該第１の流路の横断面積が前記第１のチャンバから前記第１の出口開口まで減少すると共に前記第２の流路の長手方向に沿って該第２の流路の横断面積が前記第２のチャンバから前記第２の出口開口まで減少する、
請求項１のボトル。
【請求項１５】
第１の流路が前記第１のチャンバから前記第１の出口開口まで延伸し、
第２の流路が前記第２のチャンバから前記第２の出口開口まで延伸し、
前記第１の流路の長手方向に沿って該第１の流路の横断面積が前記第１のチャンバから前記第１の出口開口まで連続して減少・増加・減少し、又は前記第２の流路の長手方向に沿って該第２の流路の横断面積が前記第２のチャンバから前記第２の出口開口まで連続して減少・増加・減少し、又は前記第１の流路の長手方向に沿って該第１の流路の横断面積が前記第１のチャンバから前記第１の出口開口まで減少すると共に、前記第２の流路の長手方向に沿って該第２の流路の横断面積が前記第２のチャンバから前記第２の出口開口まで連続して減少・増加・減少する、
請求項１のボトル。
【請求項１６】
前記第１の流動性を有する組成物と前記第２の流動性を有する組成物とが異なる粘度を有する、請求項１のボトル。
【請求項１７】
前記第１の流動性を有する組成物と前記第２の流動性を有する組成物とが異なる比重を有する、請求項１のボトル。
【請求項１８】
前記第１の流動性を有する組成物と前記第２の流動性を有する組成物とが硬い表面用の液体洗浄剤である、請求項１のボトル。
【請求項１９】
前記第１の流動性を有する組成物と前記第２の流動性を有する組成物とがカーペット用粉末洗浄剤である、請求項１のボトル。
【請求項２０】
前記第１の出口開口と前記第２の出口開口とが離間している、請求項１のボトル。
【請求項２１】
前記第１の流動性を有する組成物と前記第２の流動性を有する組成物とが、平行な流れで、前記第１の出口と前記第２の出口とから流れ出る、請求項１のボトル。
【請求項２２】
前記第１の流動性を有する組成物と前記第２の流動性を有する組成物とが、ボトルから離れた場所で集束する流れとなって、前記第１の出口と前記第２の出口とから流れ出る、請求項１のボトル。
【請求項２３】
２つの流動性を有する組成物を投与するためのボトルであって、
第１の流動性を有する組成物のための第１のチャンバであって、下部と上部とを有し、前記第１のチャンバの前記下部は内部嵌合壁と外壁とを有し、前記第１のチャンバの前記上部は内壁と外壁とを有し、前記第１のチャンバの前記上部は第１の出口開口を含む、第１のチャンバと、
第２の流動性を有する組成物のための第２のチャンバであって、下部と上部とを有し、前記第２のチャンバの前記下部は内部嵌合壁と外壁とを有し、前記第２のチャンバの前記上部は内壁と外壁とを有し、前記第２のチャンバの前記上部は第２の出口開口を含む、第２のチャンバと、を含み、
前記第１のチャンバの前記内部嵌合壁が前記第２のチャンバの前記内部嵌合壁と隣接し、これにより、前記ボトルの前壁と、一対の側壁と、後壁とを画定し、
前記内壁が前記前壁と前記後壁との間を延伸し、前記内部嵌合壁が前記側壁の間を延伸し、
第１の出口が前記第１の出口開口と連通し、第２の出口が前記第２の出口開口と連通し、前記第１及び第２の出口が前記第１及び第２の流動性を有する組成物を正面方向に送るように構成されており、
前記前壁は、前記第１のチャンバの前記下部の前記外壁の少なくとも一部を含み、
前記第１の出口の第１の軸が前記ボトルの平らな支持面に対して９０°未満の角度を形成し、
前記第２の出口の第２の軸が前記ボトルの前記平らな支持面に対して９０°未満の角度を形成することを特徴とする、
ボトル。
【請求項２４】
前記第１の出口の前記第１の軸と前記第２の出口の前記第２の軸とが前記ボトルの前記前壁方向に傾いている、請求項２３のボトル。
【請求項２５】
前記第１のチャンバの前記下部が上壁を含み
前記第２のチャンバの前記下部が上壁を含み、
前記第１のチャンバの前記上部が下壁を含み、
前記第２のチャンバの前記上部が下壁を含み、
前記第１のチャンバの前記上部の前記下壁の少なくとも一部が前記第２のチャンバの前記下部の前記上壁の少なくとも一部と隣接し、
前記第２のチャンバの前記上部の前記下壁の少なくとも一部が前記第１のチャンバの前記下部の前記上壁の少なくとも一部と隣接する、
請求項２３のボトル。
【請求項２６】
前記第１のチャンバの前記上部の前記下壁が前記第２のチャンバの前記下部の前記上壁を補完する第１の形状を有し、前記第２のチャンバの前記上部の前記下壁が前記第１のチャンバの前記下部の前記上壁を補完する第２の形状を有し、前記第１の形状と前記第２の形状とが異なっている、請求項２５のボトル。
【請求項２７】
前記第１の出口の第１の軸から前記第２の出口の第２の軸まで延出する仮想線が、前記第１のチャンバの前記内部嵌合壁と９０°未満の角度を形成する、請求項２３のボトル。
【請求項２８】
前記第１の出口開口と前記第２の出口開口とが異なる横断面積を有する、請求項２３のボトル。
【請求項２９】
前記第１の出口開口と前記第２の出口開口とがプッシュプル式封止部材でシールされている、請求項２３のボトル。
【請求項３０】
第１の流路が前記第１のチャンバから前記第１の出口開口まで延伸し、
第２の流路が前記第２のチャンバから前記第２の出口開口まで延伸し、
前記第１の流路の長手方向に沿って、該第１の流路の横断面積が前記第１のチャンバから前記第１の出口開口まで減少し、又は前記第２の流路の長手方向に沿って、該第２の流路の横断面積が前記第２のチャンバから前記第２の出口開口まで減少し、又は前記第１の流路の長手方向に沿って該第１の流路の横断面積が前記第１のチャンバから前記第１の出口開口まで減少すると共に前記第２の流路の長手方向に沿って該第２の流路の横断面積が前記第２のチャンバから前記第２の出口開口まで減少する、
請求項２３のボトル。
【請求項３１】
第１の流路が前記第１のチャンバから前記第１の出口開口まで延伸し、
第２の流路が前記第２のチャンバから前記第２の出口開口まで延伸し、
前記第１の流路の長手方向に沿って該第１の流路の横断面積が前記第１のチャンバから前記第１の出口開口まで連続して減少・増加・減少し、又は前記第２の流路の長手方向に沿って該第２の流路の横断面積が前記第２のチャンバから前記第２の出口開口まで連続して減少・増加・減少し、又は前記第１の流路の長手方向に沿って該第１の流路の横断面積が前記第１のチャンバから前記第１の出口開口まで連続して減少すると共に、前記第２の流路の長手方向に沿って該第２の流路の横断面積が前記第２のチャンバから前記第２の出口開口まで連続して減少・増加・減少する、
請求項２３のボトル。
【請求項３２】
前記第１の流動性を有する組成物と前記第２の流動性を有する組成物とが異なる粘度を有する、請求項２３のボトル。
【請求項３３】
前記第１の流動性を有する組成物と前記第２の流動性を有する組成物とが異なる比重を有する、請求項２３のボトル。
【請求項３４】
前記第１の流動性を有する組成物と前記第２の流動性を有する組成物とが硬い表面用の液体洗浄剤である、請求項２３のボトル。
【請求項３５】
前記第１の流動性を有する組成物と前記第２の流動性を有する組成物とがカーペット用粉末洗浄剤である、請求項２３のボトル。
【請求項３６】
前記第１の出口開口と前記第２の出口開口とが離間している、請求項１のボトル。
【請求項３７】
前記第１の流動性を有する組成物と前記第２の流動性を有する組成物とが、平行な流れで、前記第１の出口と前記第２の出口とから流れ出る、請求項２３のボトル。
【請求項３８】
前記第１の流動性を有する組成物と前記第２の流動性を有する組成物とが、ボトルから離れた場所で集束する流れとなって、前記第１の出口と前記第２の出口とから流れ出る、請求項２３のボトル。
【発明の詳細な説明】
【技術分野】
【０００１】
本発明は、液体の２液型洗浄組成物及び該液体の２液型洗浄組成物を投与するためのボトルに関する。
【背景技術】
【０００２】
使用される前は酸性成分と塩基成分が物理的に分離した状態であり、使用時に混合されて発泡した又は発泡性の洗浄混合物を生成する２液型洗浄システムは既知である。
【０００３】
文献１は、二つに区分された容器から調製され投与される洗浄剤組成物水溶液について開示している。第１のコンパートメント（区画部分）は、塩基の発泡性剤（例えば、重炭酸ナトリウム）を含み、第２のコンパートメントは、酸性発泡性剤（例えば、クエン酸）を含む。組成物は、界面活性剤、発泡抑制剤、染料、香料、ヒドロトロープ等の他の洗浄補助材料を含むことが可能である。
【０００４】
文献２は、一つの部分が酸を含み、他の部分が塩基を含む２液型発泡排水溝洗浄剤を開示している。
【０００５】
文献３は、酸性成分とアルカリ成分を有する２成分のシャワージェルを開示している。酸性成分は、クエン酸、増粘剤及び水を含む。アルカリ成分は、重炭酸ナトリウム、アニオン系界面活性剤、両性界面活性剤、及び非イオン系界面活性剤を含む。酸及びアルカリ成分は可撓性を有する容器内の別々のコンパートメントへ詰められる。容器が圧縮されると、二つのコンパートメントの内容物がノズルを介して投与され、これによって、酸と重炭酸の間で化学反応が生じ、次に、泡を生成する炭酸ガスを放出する。
【０００６】
文献４は、酸性材料（例えば、シュウ酸、クエン酸、スルファミド酸、酒石酸、及びグルタル酸）と塩基材料（例えば、炭酸ナトリウムと重炭酸ナトリウムとの混合物）と界面活性剤の乾燥混合物が水と反応して発泡し便器を洗浄する、便器洗浄剤を開示している。
【０００７】
文献５は、セラミックタイルなどの硬面を洗浄するために使用される２液型液状洗浄組成物を開示している。該２液型液状洗浄組成物は、増粘剤、金属錯体、過酸化水素、クエン酸水素二ナトリウム、非イオン系界面活性剤、及び香料を含む組成物Ａと、高分子増粘剤、水酸化ナトリウム、非イオン系界面活性剤、カチオン系界面活性剤、及び溶媒を含む組成物Ｂと、を含む。
【０００８】
文献６は、２液型ボトルのコンパートメントに充填された赤い液と青い液を含む２成分の口内洗浄液を開示している。赤（塩基性）の液体は、重炭酸ナトリウム、エタノール、及び非イオン系界面活性剤を含み、青（酸性）の液体は、クエン酸を含む。混合すると、混合液が発泡する。
【０００９】
【特許文献１】ＷＯ０１／００７６５
【特許文献２】ＷＯ９８／３３８８０
【特許文献３】米国特許第５８０４５４６号
【特許文献４】米国特許第４５２２７３８号
【特許文献５】欧州特許第０７３３０９７Ｂ１号
【特許文献６】米国特許第５１５４９１７号
【特許文献７】米国特許第６２２３９４２号
【特許文献８】米国特許第５９５４２１３号
【特許文献９】米国特許第５８６２９４９号
【特許文献１０】ＰＣＴ国際公開ＷＯ０２／２２４６７Ａ１号
【特許文献１１】欧州特許出願第ＥＰ１１５３８８１Ａ１号
【特許文献１２】米国特許第３０３２２４０号
【発明の開示】
【発明が解決しようとする課題】
【００１０】
上記に述べられた６つの参考文献は、このような２液型洗浄システムに対して提案された多くの使用例を挙げたものである。多くの場合、２液型洗浄システムはある特定の使用には非常に適しているが、他の使用には全く不充分である。例えば、シャワージェルとして使用される２液型洗浄システムは、通常、高い発泡特性をもたらすため、該２液型洗浄システムは、自動洗濯機や自動食器洗い機を目的とする低発泡性液体洗剤への使用には不向きである。また、高発泡性の２液型洗浄剤は、化学反応中に生成される気体から得られる機械的な洗浄能力が泡の形成により失われる可能性があるので、最適な洗浄を提供しない可能性がある。低発泡性の２液型洗浄剤にも欠点がある。例えば、低発泡性の組成物は、所望される全ての成分を組成物中に溶解させる上で必要な界面活性剤レベルを持たない。特に、いくつかの芳香剤は、存在する界面活性剤が低レベルの場合、溶液中に溶解しない可能性がある。結果的に、２液型洗浄剤の空気清浄能力も最適化されない。
【００１１】
上記のように、種々の２コンパートメント容器が２液型洗浄システムを調剤するために利用可能である。該２コンパートメント容器のいくつかの例は、文献７乃至文献１１にも見られる。大部分の２コンパートメント容器が液状２液型洗浄システムを調剤・投与するために使用可能であるが、一方、２コンパートメント容器は、一般に、２コンパートメントからの両液体の制御された／均等な投与をもたらさない。例えば、２コンパートメント・ボトルに関する一つの問題は、どうやって、両コンパートメントの内容物が確実に同時に出てくるようにするかということである。反応性のある二つの化学物質の場合は特に、均等な投与が重要である。互いに作用し合う二つの液体の場合、最初に一つの液体が先に出てしまうのでは、２液型形態の利点が失われる。更に、消費者側は、第１の液体を使い果たした後に残る第２の液体部分を無駄にしなければならないことに好意的な反応を示さないであろう。
【００１２】
公知の２コンパートメント容器は最適な人間工学を提供しない。多くの場合、２コンパートメントと対応する投与ノズルの配列は、洗浄される面の全ての位置に二つの液体を投与することを困難にしている。例えば、ユーザは、投与の際、手中の容器の位置を変えることを要求され、さらに、投与の際に、手を持ち替えることも要求される。これらの公知の２コンパートメントボトルからの投与上の困難によって容器に対する消費者の印象が損なわれる可能性がある。
【００１３】
このように、二分割洗浄剤の化学反応の有利な機械的洗浄作用を制限することない発泡特性を有する改良された２液型洗浄組成物が常に求められている。更に、洗浄剤がキッチンあるいは洗面所（洗面台、トイレ、バスタブ、天板、シャワー、流し台等）の硬面の洗浄に有利であるように、発泡特性と空気清浄特性のバランスが改良された２液型液体洗浄組成物が常に求められている。このような２液型洗浄組成物を投与するための改良された２コンパートメント容器であって、二つの成分が該容器から均等に投与される２コンパートメント容器に対する要求もある。また、このような２液型洗浄組成物を投与するための改良された２コンパートメント容器であって、該容器が人間工学的に有利な投与位置を提供する２コンパートメント容器に対する要求もある。
【課題を解決するための手段】
【００１４】
以上の課題は、（１）炭酸塩、重炭酸塩、セスキ炭酸塩及びこれらの混合物からなる群より選択された塩基を含む第１の水溶液と（２）酸を含む第２の水溶液とを含む２液型洗浄組成物によって解決される。これらの液体の少なくとも一つが約０．００１乃至約４重量％の界面活性系を含む。これらの液体の少なくとも一つが約０．００１重量％乃至約３重量％の発泡抑制剤を含む。他の実施の形態において、これらの液体の少なくとも一つが約０．００１重量％乃至約１重量％のシリコーン系発泡抑制剤を含み、他の実施の形態において、これらの液体の少なくとも一つが少なくとも一種類のオイルを含む約０．００１重量％乃至約１重量％の芳香剤を含む。
【００１５】
第１の液体と第２の液体が便器などの表面に投与されると、第１の液体と第２の液体が混合され、これによって、塩基と酸の間で化学反応が開始される。塩基から放出される炭酸ガスが混合液内で瞬時に泡を生成する。次に、発泡抑制剤がこの泡を即時に破壊し、残りの生成された気体は、この混合液中で（過剰な発泡を伴わずに）物理的及び／又は機械的洗浄作用をもたらし、混合液中の泡が壊れる時に音を立てる。気体の生成によって（過剰な発泡を伴わずに）空気中への芳香剤の放出が促進され、洗浄される面付近の空気清浄が行われる。
【００１６】
２液型洗浄剤の第１の液体と第２の液体は、好ましくは本明細書中に記述されるようなボトル内において、使用されるまでは、物理的に分離された状態に維持される。本明細書中に記述されるボトルは、第１の液体用に第１のチャンバと、第２の液体用に第２のチャンバと、を含む。第１のチャンバは下部と上部を備える。第１のチャンバの下部は、内部嵌合壁及び外部壁を備える。第１のチャンバの上部は、内部壁、外部壁、及び第１の出口開口を備える。第２のチャンバは下部と上部を備える。第２のチャンバの下部は、内部嵌合壁及び外部壁を備える。第２のチャンバの上部は、内部壁、外部壁、及び第２の出口開口を備える。第１のチャンバと第２のチャンバは、第１のチャンバの内部嵌合壁と第２のチャンバの内部嵌合壁において互いに隣接し、これによって、ボトルの前壁、側壁、及び後壁が画定される。
【００１７】
本明細書に記載されるボトルの一つの形態において、ボトルの前壁が第１のチャンバの上部の内部壁の少なくとも一部を含み、ボトルの後壁が第２のチャンバの上部の内部壁の少なくとも一部を含む。第１のチャンバの内部嵌合壁の少なくとも一部と第２のチャンバの内部嵌合壁の少なくとも一部がボトルの側壁間に延出する。本明細書に記載されるボトルの他の形態において、第１のチャンバの第１の出口開口の第１の軸と第２の出口開口の第２の軸はボトルの前壁に対して傾斜している。
【００１８】
ボトルの上記形態によって、第１のチャンバと第２のチャンバが水平方向に配向され、これによって、２液型洗浄剤を調剤・投与する際に、ユーザの親指は常にボトルの前壁に位置し、その他の指は常にボトルの後壁に位置する。この水平方向の配向によって、ユーザは、垂直方向に配向されるボトルのときよりもはるかに大きな範囲で動作することができ、これは人間工学的に有利である。また、ユーザの親指が付与する平方インチ当たりの圧力は、より大きな表面積に対して広げられる他の指が付与する平方インチ当たりの圧力よりも大きいことがわかった。このように、親指を常にボトルの前壁に強制的に位置決めすることによって、親指と他の指の圧力差を補償すべくボトルの構成を調整でき、ボトルから均等投与が可能となる。
【００１９】
例えば、第１のチャンバの下部の外部壁の表面積と第２のチャンバの下部の外部壁の表面積は、ボトルの前壁と後壁の大きな部分又は小さな部分を包含し、よって均等な分配が提供されるように変化させることが可能である。親指と他の指の圧力差を補償するためになされる他の調整は、第１のチャンバと第２のチャンバの壁の厚さを変えることである。同様の他の変形としては、異なる粘度を有する第１の液体と第２の液体を用いて、及び異なる比重を有する第１の液体と第２の液体を用いて、第１の出口開口と第２の出口開口に異なる横断面積を持たせることが含まれる。さらに他の変形としては、第１のチャンバと第１の出口開口の間、並びに第２のチャンバと第２の出口開口の間に異なる横（方向）断面積を有する流路を提供することが含まれる。例えば、流路は、第１のチャンバから第１の出口開口ヘ、ならびに、第２のチャンバから第２の出口開口へ、内方へテーパ付けされてよい。あるいは、流路は、第１のチャンバから第１の出口開口ヘ、並びに、第２のチャンバから第２の出口開口へ、まず、内方へテーパ付けされ、次に外方へ膨らみ、再び内方へテーパ付けされてよい。
【００２０】
従って、本発明の利点は、２液型洗浄剤の成分の化学反応による有利な機械的洗浄作用を制限しない発泡特性を有する２液型洗浄組成物を提供することにある。
【００２１】
本発明の他の利点は、洗浄剤が硬面を洗浄する時及び硬面付近の空気を清浄化するときに有利であるように、発泡特性と空気清浄特性の改良されたバランスを有する２液型洗浄組成物を提供することにある。
【００２２】
本発明のさらに他の利点は、２液（剤）型流動性組成物を投与するための２コンパートメント容器であって、二つの成分が該容器から均等に投与される２コンパートメント容器を提供することである。
【００２３】
本発明のさらに他の利点は、２液（剤）型流動性組成物を投与するための２コンパートメント容器であって、該容器が人間工学的に有利な投与位置を提供する２コンパートメント容器を提供することである。
【００２４】
本発明の上記及び他の特徴、態様ならびに利点は、以下の詳細な記載、図面および添付の請求の範囲を考慮すれば更によく理解されるであろう。
【００２５】
以下の説明において図面を通して同様のあるいは類似する部品には同様の参照番号が付される。
【発明を実施するための最良の形態】
【００２６】
最初に図１乃至図９を参照すると、全体を参照番号１０で示された本発明による２チャンバボトルが示されている。製造の簡単化を図るべく、ボトル１０は、第１のチャンバ２０、第２のチャンバ４０、オーバーキャップ７０及びノズル８０の四つのパーツから組み立てられる。しかしながら、これらのパーツ（特に、第１のチャンバ２０、第２のチャンバ４０、及びオーバーキャップ７０）は、適切な工具があれば、一体成形可能である。また、出荷及び保存の際にボトル１０のノズル８０に蓋をするための保護キャップ９０も提供される。
【００２７】
ボトル１０とキャップ９０の全ての構成部品は、ポリエチレン及びポリプロピレンなどの好適な熱可塑性材料から成形することができ、これらの構成部品のいずれも、所望であれば、可塑性材料に適した従来の顔料で着色可能である。一つの実施の形態において、第１のチャンバ２０と第２のチャンバ４０は高密度ポリエチレンから成型され、オーバーキャップ及びキャップ９０はポリプロピレンから成型され、ノズル８０はポリエチレンから成型される。一つの実施の形態において、壁の厚さは約１ｍｍであるが、いくつかの実施の形態において、壁の厚さは以下に記述されるように変化する。一つの実施の形態において、第１のチャンバ２０と第２のチャンバ４０はそれぞれ充填レベルが約３７５ｍｌであり、満杯時レベルが４００ｍｌである。
【００２８】
図３を参照すると、第１のチャンバ２０は、下部２２と上部３２を備える。第１のチャンバ２０の下部２２は、内部嵌合壁２４、上部壁２５、及び外部壁２６を備える。第１のチャンバ２０の上部３２は、内部壁３４、下部壁３５、頂部壁３７、及び外部壁３６を備える。頂部壁３７は、その周縁部に凹部領域３７ａを有すると共に、外方に延出する円周リブ３９を含む上方に延出する円筒形のスパウト３８を備える。第１のチャンバ２０は、一般に、第１の液体を含むが、すべての流動可能な組成物に適する。以下の記述において、第１の液体は、例証目的のために説明される。
【００２９】
本明細書及び添付クレームで用いられているように、「流動可能な組成物」なる用語は、液体、溶液、縣濁液、エマルジョン、気体、及び任意の他の形態の「液体」又は「流体」と称され又は知られている物質だけでなく、粉末（例えば、絨毯洗浄剤）などの他の流動可能な組成物を含む。第１の流動可能な組成物及び第２の流動可能な組成物は、同じ物性の材料でも、互いに異なる物性の材料でもよい。本発明の１つの好ましい形態において、第１及び第２の流動性を有する組成物の各々は、液体を含んでいる。しかしながら、本発明のさらなる他の形態において、第１の流動性を有する組成物は液状であってもよく、第２の流動性を有する組成物は（例えば）粉状であってもよい。当業者であれば、多くの他の組み合わせが可能であり、本発明の範囲を逸脱せずにこれらの組み合わせが包含可能であることを容易に理解するであろう。こうした当業者であれば、どちらのチャンバ内の流動可能な組成物も、他のチャンバ内の流動可能な組成物と混合する前に、二種以上の流動可能な組成物の組み合わせ（例えば、気体及び液体を含むエアゾール）を含むことができることを容易に理解するであろう。
【００３０】
第２のチャンバ４０は、下部４２と上部５２とを含む。第２のチャンバ４０の下部４２は、内部嵌合壁４４、上部壁４５、及び外部壁４６を含む。第２のチャンバ４０の上部５２は、内部壁５４、下部壁５５、頂部壁５７、及び外部壁５６を含む。頂部壁５７は、その周縁部に凹部領域５７ａを有すると共に、外方に延出する円周リブ５９を含む上方に延出する円筒形のスパウト５８を備える。第２のチャンバ４０は、一般に、第２の液体を含むが、すべての流動可能な組成物に適する。以下の記述において、第２の液体は、例証目的ために説明される。
【００３１】
ボトル１０のオーバーキャップ７０は、頂面７１と頂面７１から下方へ向かって延出するスカート７３とを含む。スカート７３は、下部エッジ７６で成端する。オーバーキャップ７２の頂面７１上には、環状に上方ヘ向かって延出する第１の出口開口７２と環状に上方へ向かって延出する第２の出口開口７４が形成される。
【００３２】
図８及び図９を参照すると、ボトル１０のノズル８０は、頂面８８ａと頂面８８ａから下方へ延出するスカート８９ａと、頂面８８ｂと頂面８８ｂから下方へ延出するスカート８９ｂと、を含む。スカート８９ａとスカート８９ｂは、ブリッジ部８９ｃによって連結される。スカート８９ａは、その底部の環状リム８１で成端し、スカート８９ｂは、その底部の環状リム８２で成端する。第１の環状のオリフィス８４はノズル８０の頂面８８ａから上方へ向かって延出し、第２のオリフィス８５はノズル８０の頂面８８ｂから上方へ向かって延出する。外方へ向かって延出する隆起領域８７がノズル８０の下部周縁部に設けられる。
【００３３】
保護キャップ９０は、略楕円形の頂面９４と、頂面９４の周縁部から外方角度で下方に向かって延出するスカート９５とを含む。スカート９５の下部周縁部は外方に向かって延出する部分９２を有する。
【００３４】
ボトル１０の組み立ては、図３に最もよく示されている。第１のチャンバ２０、第２のチャンバ４０、オーバーキャップ７０及びノズル８０は全て、好ましくは、ポリエチレン又はポリプロピレンから成形され、従って、ポリエチレンとポリプロピレンを接着する上で好適な従来の接着剤を用いて組み立て可能である。高速硬化接着剤と低速硬化接着剤の混合などの接着剤の混合が有利である。これらの構成部品を組み立てるための他の手段としては、摩擦溶接、超音波溶接、スナップフィット、及び他の従来の技術が好適である。当業者であれば、チャンバ表面を接触すなわち隣接させる手段を容易に考えつくであろう。
【００３５】
図示されている実施の形態において、第１のチャンバ２０と第２のチャンバ４０は、第１のチャンバ２０の内部嵌合壁２４と第２のチャンバ４０の内部嵌合壁４４において（例えば、接着剤を用いて）互いに隣接している。所望であれば、第１のチャンバ２０の内部嵌合壁２４と第２のチャンバ４０の内部嵌合壁４４は、組み立て中に第１のチャンバ２０と第２のチャンバ４０とを位置合わせするための手段、例えば、第１のチャンバ２０の内部嵌合壁２４上の溝、及び第２のチャンバ４０の内部嵌合壁４４上に設けられた該溝を補完する形状の外方に向かって延出するリブ、を含む。第１のチャンバ２０と第２のチャンバ４０が接合されると、図１、図２、図４、及び図５に示されるように、ボトル１０の前壁１２、側壁１３及び１４、後壁１５、及び平坦支持面１６が画定される。ボトルの壁はいずれも、図２の後壁１５のラベル９９などの好適なラベリングを含むことが可能である。
【００３６】
第１のチャンバ２０と第２のチャンバ４０が接合されると、第１のチャンバ２０の上部３２の内部壁３４上の少なくとも一部と、第２のチャンバ４０の上部５２の内部壁５４の少なくとも一部が互い隣接し、好ましくは、第１のチャンバ２０の上部３２の内部壁３４全体と第２のチャンバ４０の上部５２の内部壁５４全体が互いに隣接する。所望があれば、第１のチャンバ２０の上部３２の内部壁３４と第２のチャンバ４０の上部５２の内部壁５４との間に接着を提供するために接着剤を使用可能である。
【００３７】
第１のチャンバ２０と第２のチャンバ４０が隣接すると、第１のチャンバ２０の上部３２の下部壁３５の少なくとも一部が、第２のチャンバ４０の下部４２の上部壁４５の少なくとも一部に隣接し、好ましくは、第１のチャンバ２０の上部３２の下部壁３５全体が第２のチャンバ４０の下部４２の上部壁４５全体に隣接する。所望であれば、第１のチャンバ２０の上部３２の下部壁３５と第２のチャンバ４０の下部４２の上部壁４５を接着剤を用いて接着することが可能である。また、第１のチャンバ２０と第２のチャンバ４０が隣接されると、第２のチャンバ４０の上部５２の下部壁５５の少なくとも一部が第１のチャンバ２０の下部２２の上部壁２５の少なくとも一部に隣接し、好ましくは、第２のチャンバ４０の上部５２の下部壁５５全体と第１のチャンバ２０の下部２２の上部壁２５全体が隣接する。所望であれば、第２のチャンバ４０の上部５２の下部壁５５と、第１のチャンバ２０の下部２２の上部壁２５とを接着剤を用いて接合してもよい。図３を参照すると、第１のチャンバ２０の上部３２の下部壁３５は、第２のチャンバ４０の下部４２の上部壁４５を補完する形状の第１の形状を有し、第２のチャンバ４０の上部５２の下部壁５５は、第１のチャンバ２０の下部２２の上部壁２５を補完する形状の第２の形状を有していることが分かる。図示されている実施の形態において、第１の形状と第２の形状は異なる。第１の形状と第２の形状は、第１のチャンバと第２のチャンバからの流量を異ならせるために変化させてよく、これによって、ボトル１０からの均等な投与がもたらされる。
【００３８】
第１のチャンバ２０と第２のチャンバ４０が隣接されると、オーバーキャップ７０は、第１のチャンバ２０と第２のチャンバ４０に隣接される。オーバーラップ７０のスカート７３の下部エッジ７６は、第１のチャンバ２０の頂壁３７の凹部領域３７ａと第２のチャンバ４０の頂壁５７の凹部領域５７ａにスナップフィットされる。所望されれば、好適な接着剤も使用可能である。オーバーキャップ７０が第１のチャンバ２０と第２のチャンバ４０に組み付けられると、オーバーキャップ７０の第１の出口開口７２が第１のチャンバ２０の上方に延出する円筒形スパウト３８と流体連通して配置されるとと共に、第２の出口開口７４が第２のチャンバ４０の上方に延出する円筒形スパウト５８と流体連通して配置される。第１のチャンバベース２０のスパウト３８と第２のチャンバ４０のスパウト５８は、オーバーキャップ７０が第１のチャンバ２０と第２のチャンバ４０にただ一つのはめ方でのみ取付け可能であるように、図３に示されるように位置をずらして配置される。
【００３９】
オーバーキャップ７０が第１のチャンバ２０と第２のチャンバ４０に取付けられた後、ノズル８０がオーバーキャップ７０に組み付けられる。ノズル８０のスカート８９ａとスカート８９ｂの底部の環状リム８１及び環状リム８２と、オーバーキャップ７０の第１の出口開口７２と第２の出口開口７４のそれぞれとの間のスナップフィットによって、接続がもたらされる。所望であれば、好適な接着剤も使用可能である。ノズル８０がオーバーキャップ７０に組み付けられると、オーバーキャップ７０の第１の出口開口７２がノズル８０の第１のオリフィス８４と流体連通して配置され、オーバーキャップ７０の第２の出口開口７４がノズル８０の第２のオリフィス８５と流体連通して配置される。当業者であれば、ボトル１０の構成からノズル８０を除外することが可能であり、（液体の）投与をオーバーキャップ７０の第１の出口開口７２と第２の出口開口７４から直接行うことが可能であることを容易に理解するであろう。
【００４０】
ノズル８０の第１のオリフィス８４と第２のオリフィス８５は、第１の液体と第２の液体の平行な流れを提供するように構成可能である。一つの実施の形態において、ノズル８０の第１のオリフィス８４と第２のオリフィス８５は、同一平面内又は平行な平面内にあり、互いから約４ｍｍ離間されている。一つの形態において、ノズル８０の第１のオリフィス８４と第２のオリフィス８５は共通の壁を共有しない。ノズル８０の第１のオリフィス８４と第２のオリフィス８５の間隔は、液体の流れが平行であることから、投与前及び投与中の第１の液体と第２の液体の混濁を制限すると共に、さらに、洗浄される（対象物の）表面での第１の液体と第２の液体の混合が生じるが、塗布前には混合されないことを確実にする。
【００４１】
ノズル８０の第１のオリフィス８４と第２のオリフィス８５へ導かれる流路も、第１の液体と第２の液体の流れが、該ノズル８０の該第１のオリフィス８４と該第２のオリフィス８５からある程度離間した地点で集束するように構成可能である。例えば、一つの構成において、オーバーキャップ７０の第１の出口開口７２とノズル８０の第１のオリフィス８４は偏心しており、オーバーキャップ７０の第２の出口開口７４とノズル８０の第２のオリフィス８５も偏心している。すなわち、オーバーキャップ７０の第１の出口開口７２の軸は、ノズル８０の第１のオリフィス８４の軸と同軸上になく、オーバーキャップ７０の第２の出口開口７４の軸はノズル８０の第２のオリフィス８５の軸と同軸上にない。さらに、ノズル８０の第１のオリフィス８４と第２のオリフィス８５へ導かれる流路もテーパー状に形成可能である。これらの偏心されたオリフィス８４と８５、出口開口７２、７４、及び／又はテーパー付された流路により、ノズル８０の第１のオリフィス８４と第２のオリフィス８５が面一又は平行な面上にあっても、第１の液体と第２の液体の流れがノズル８０の第１のオリフィス８４と第２のオリフィス８５からある程度離間した地点で集束することが可能となる。
【００４２】
図７に示されるように、キャップ９０は着脱可能に構成され、ノズル８０の下部周縁部に設けられた外方延出隆起領域８７とキャップ９０のスカート９５の外方延出部９２との圧着によって、ノズル８０に取付けられる。キャップ９０は、出荷中ｋ及び保管中はボトル１０のノズル８０の第１のオリフィス８４と第２のオリフィス８５とをシールし、第１の液体と第２の液体がボトル１０から投与される時に取り外される。
【００４３】
組み付けられたボトル１０は非常に重要な利点を有する。特に、ボトル１０は、第１のチャンバ２０からの第１の液体の投与と、第２のチャンバ４０からの第２の液体の投与を均等にすることに関していくつかの構造的な関係を提供する。
【００４４】
例えば、ボトル１０によれば、第１のチャンバ２０と第２のチャンバ４０が水平方向に配向される。図１他を参照すると、第１のチャンバ２０の上部３２の内部壁３４の少なくとも一部がボトル１０の前壁１２から後壁１５に延出すると共に、第２の１チャンバ４０の上部５２の内部壁５４の少なくとも一部がボトル１０の前壁１２から後壁１５に延出し、また、第１のチャンバ２０の内部嵌合壁２４の少なくとも一部と第２のチャンバ４０の内部嵌合壁２４の少なくとも一部がボトルの側壁１３及び１４の間に延出する。さらに、第１の出口開口７２の第１の軸（及びノズル８０の対応する第１のオリフィス８４）と第２の出口開口７４の第２の軸（及びノズル８０の対応する第２のオリフィス８５）が、ボトル１０の前壁１２に対して傾斜している。この構成によれば、製品を投与する際、ユーザの親指は常にボトル１０の前壁１２に位置し、その他の指は常にボトル１０の後壁１５に位置する。
【００４５】
ユーザの親指が付与する平方インチ当たりの圧力は、より大きな表面積に対して広げられる他の指が付与する平方インチ当たりの圧力よりも大きい。これにより、上記のように、親指を常にボトル１０の前壁１２に強制的に位置決めすることによって、親指と他の指の圧力差を補償するための調整が可能となり、均等な投与が達成される。例えば、第１のチャンバ２０の下部２２の外部壁２６の表面積と第２のチャンバ４０の下部４２の外部壁４６の表面積は、ボトル１０の前壁１２と後壁１５の大きな部分又は小さな部分を包含するように変化させることが可能である。例えば、ボトル１０の前壁１２の一部を構成する第１のチャンバ２０の下部２２の外部壁２６部分は、ボトル１０の前壁１２の一部を構成する第１のチャンバ２０の上部３２の外部壁３６部分の表面積の少なくとも半分と、ボトル１０の前壁１２の一部を構成する第２のチャンバ４０の上部５２の外部壁５６部分とを組み合わせて有してもよい。さらに、ボトル１０の後壁１５の一部を構成する第２のチャンバ４０の下部４２の外部壁４６部分は、ボトル１０の後壁１５の一部を構成する第２のチャンバ４０の上部５２の外部壁５６部分の表面積の少なくとも半分と、ボトル１０の後壁１５の一部を構成する第１のチャンバ２０の上部３２の外部壁３６部分とを組み合わせて有してもよい。第１のチャンバ２０の下部２２の外部壁２６のサイズと第２のチャンバ４０の下部４２の外部壁４６部分のサイズを変更することによって、及びこれら二つのサイズの大きさの比率を変えることによって、均等な投与が達成される。
【００４６】
親指と他の指の圧力差を補償し、均等な分配・投与を達成するためになされる他の調整は、第１のチャンバと第２のチャンバで可変の壁厚さを提供することである。例えば、二つの液体を投与する際に、他の指よりもユーザの親指に対する抵抗力をもたせるために第１のチャンバの壁厚さを第２のチャンバの壁厚さより大きくする。
【００４７】
サム・オン・トップ（頂部に親指を載せる）の向きによって、ユーザの親指と他の指の力の差を考慮する他の変更も可能になる。これらの変形には、（１）第１の出口開口７２（及び／又はノズル８０の対応する第１のオリフィス８４）と第２の出口開口７４（及び／又はノズル８０の対応する第２のオリフィス８５）が異なる横断面積（即ち、親指側が大きい開口サイズ）を有すること、（２）異なる粘度（即ち、親指側の液体粘度が高い調合）の第１の液体と第２の液体を使用すること、（３）異なる比重（即ち、親指側の液体の比重が軽い調合）の第１の液体と第２の液体を使用すること、（４）第１のチャンバから第１の出口開口までの流路の長さに沿った横断面積及び／又は第２のチャンバから第２の出口開口までの流路の長さに沿った横断面積を減少すること（即ち、流路が出口開口へ向かってテーパ付けされる）、及び（５）第１のチャンバから第１の出口開口までの流路の長さに沿った横断面積及び／又は第２のチャンバから第２の出口開口までの流路の長さに沿った横断面積を減少、増加、次いで、減少させること（即ち、第１のチャンバから第１の出口開口まで及び／又は第２のチャンバから第２の出口開口まで、流路がまず内方へテーパ付けされ、次に外方へ拡大され、再び内方へテーパー付けされる）が含まれる。大きな開口は分配時の後方圧力を減少する傾向にあるので、第１の出口開口７２（及び／又はノズル８０の対応する第１のオリフィス８４）と第２の出口開口７４（及び／又はノズル８０の対応する第２のオリフィス８５）の大きさを変更することによっても、より簡便な投与が可能となる。
【００４８】
上記に詳細に述べたように、使用中の２チャンバボトルを水平方向に配向することは、第１の出口開口７２と第２の出口開口７４の形状によっても達成される。第１の出口開口７２の第１の軸は、ボトル１０の平坦支持面１６に対して９０度未満の角度を成し、第２の出口開口７４の第２の軸は、ボトル１０の平坦支持面１６に対して９０度未満の角度を成す。また、第１の出口開口７２の第１の軸と第２の出口開口７４の第２の軸は、ボトル１０の前壁１２に向かって傾斜される。更に、第１の出口開口７２の第１の軸から第２の出口開口７４の第２の軸まで延びる仮想線は、第１のチャンバ２０の内部嵌合壁２４に対して９０度未満の角度を成す。即ち、ボトル１０を正面から見た時、第１の出口開口７２は、第２の出口開口７４と横並びの関係で配置される。また、ボトル１０を正面から見た時、第１の出口開口７２は、第２の出口開口７４と共に、オフセットされた横並びの関係で配置可能である。しかしながら、ボトル１０を正面から見た時、第２の出口開口７４は、第１の出口開口７２の真後ろには配置されない。このため、左利きのユーザ、右利きのユーザは共に、ボトルの前壁１２に親指を置いてボトル１０を取り扱う。この水平方向のチャンバ配向によって、ユーザは、垂直方向に配向されるボトルのときよりはるかに大きな範囲で動作可能であり、これは人間工学的に有利である。とりわけ、便器のリム下に二つの液体を投与するためにボトル１０が使用される時は特に、ボトル１０を使用する際のユーザの手首の横方向の動きが制約されない。
【００４９】
ボトル１０の他の変更にも有利なものがある。例えば、ボトル１０は、二つのチャンバボトル内の内容物を密封するため、「プッシュ・プル（押して引く）」密閉として当業者には既知である、一対のツーピース密封部材を含むことができる。各対の二つのピース密封部材は、内部キャップと外部フィット部材を有する。内部キャップは、その頂部で閉止されると共に、頂部の下に配置された円周方向密封ビードを含む、中空の漸減直径を有するスパウトを含む。更に、このスパウトは、その閉止した頂部と円周密封ビードとの間に配置される、少なくとも一つの開口を含む。外部フィット部材は中空であり、上方に延出すると共に頂部が開口した直径減少部分を有する。該フィット部材は、この直径減少部分の内面に周縁密封ビードを含む。ボトルの各チャンバ及び内容物を密封するために、内部キャップはチャンバに連通する開口に固着される。次に、外部フィット部材の内側に配置された密封リングが内部キャップの外方に配置された密封ビードの下に配置され、内部キャップのスパウトの最外側部分の外面が外部フィット部材の上方に向かって延出する直径減少部分の内面と密封係合されるように、フィット部材が内部キャップの頂部上の定位置に押込まれる。ボトルのチャンバの内容物を投与するために、フィット部材は上方に引っ張られる。これによって、フィット部材の直径減少部分の内面との密封係合から内部キャップのスパウトが解除される。次に、内容物は、チャンバの内部から、内部キャップの直径減少スパウトの内部及び該スパウト内の少なくとも一つの開口を通って、また、最後にフィット部材の開口上端を通って、流出する。「プッシュ・プル」の密封構造の例は、本明細書中に参照することによって組み込まれる特許文献１２に開示されている。
【００５０】
特に台所及び浴室領域内のタイル、洗い桶、トイレ、浴槽、シャワー、流し台、カウンタートップ、壁、及び床等の硬い面を洗浄するのに適した、本発明による２液型液体洗浄組成物を保存及び投与するために、上記２チャンバーボトル１０が使用されることが好ましい。また、上記２チャンバーボトル１０は、カーペットを敷いた面を洗浄するのに適した２剤式粉末洗浄組成物を保存及び投与するために使用されても良い。
【００５１】
一つの実施の形態において、この２液型液体洗浄組成物は、トイレ及び便器を洗浄するのに特に有用な液体であり、（１）炭酸塩、重炭酸塩、セスキ炭酸塩及びこれらの混合物からなる群より選択された塩基を含む第１の水溶液と、（２）硫酸、塩酸、燐酸、硝酸、ホウ酸、蟻酸、酢酸、りんご酸、マレイン酸、コハク酸、酒石酸、乳酸、グルタル酸、グリコール酸、フマル酸、安息香酸、クエン酸、スルファミド酸、シュウ酸、及びこれらの混合物からなる群より選択された酸を含む第２の水溶液と、を含む。投与されるまで、第１の液体と第２の液体は、例えば、ボトル投与装置１０の第１のチャンバ２０と第２のチャンバ４０に物理的に分離された状態で維持される。第１の水溶液は、該第１の水溶液中の全ての界面活性剤を構成する界面活性系を、該第１の液体の全重量に対し約０．００１乃至約４重量％含む。第２の水溶液は、該第２の水溶液中の全ての界面活性剤を構成する界面活性系を、該第２の液体の全重量に対し約０．００１乃至約４重量％含む。第１の水溶液と前記第２の水溶液の少なくとも一つが、界面活性系をこれらのレベルで含む。第１の液体が、該第１の液体の全重量％に対し約０．００１重量％乃至約３重量％の発泡抑制剤を含む。第２の液体が、該第２の液体の全重量％に対し約０．００１重量％乃至約３重量％の発泡抑制剤を含む。第１の水溶液と前記第２の水溶液の少なくとも一つがこれらのレベルでの発泡抑制剤を含む。
【００５２】
他の実施の形態において、この２液型液体洗浄組成物は、（１）炭酸塩、重炭酸塩、セスキ炭酸塩及びこれらの混合物からなる群より選択された塩基を含む第１の水溶液と、（２）硫酸、塩酸、燐酸、硝酸、ホウ酸、蟻酸、酢酸、りんご酸、マレイン酸、コハク酸、酒石酸、乳酸、グルタル酸、グリコール酸、フマル酸、安息香酸、クエン酸、スルファミド酸、シュウ酸、及びこれらの混合物からなる群より選択された酸を含む第２の水溶液と、を含む。投与されるまで、第１の液体と第２の液体は、例えば、ボトル投与装置１０の第１のチャンバ２０と第２のチャンバ４０に物理的に分離された状態で維持される。第１の水溶液は、該第１の水溶液中の全ての界面活性剤を構成する界面活性系を、該第１の液体の全重量に対し約０．００１乃至約４重量％含む。第２の水溶液は、該第２の水溶液中の全ての界面活性剤を構成する界面活性系を、該第２の液体の全重量に対し約０．００１乃至約４重量％含む。第１の水溶液と前記第２の水溶液の少なくとも一つが、界面活性系をこれらのレベルで含む。第１の液体が、該第１の液体の全重量％に対し約０．００１重量％乃至約１重量％のシリコーン系発泡抑制剤を含む。第２の液体が、該第２の液体の全重量％に対し約０．００１重量％乃至約１重量％のシリコーン系発泡抑制剤を含む。第１の水溶液と前記第２の水溶液の少なくとも一つがこれらのレベルでのシリコーン系発泡抑制剤を含む。第１の液体が、少なくとも一種類のオイルを含む芳香剤を、該第１の液体の全重量％に対し約０．００１重量％乃至約１重量％を含む。第２の液体が、少なくとも一種類のオイルを含む芳香剤を、該第２の液体の全重量％に対し約０．００１重量％乃至約１重量％含む。第１の水溶液と前記第２の水溶液の少なくとも一つが、少なくとも一種類のオイルを含む芳香剤をこれらのレベルで含む。
【００５３】
第１の液体と第２の液体が便器などの表面に投与される時、第１の液体と第２の液体が混ざり合い、塩基と酸の間で科学反応を開始する。塩基から放出された炭酸ガスは瞬時に混合液中に泡を生成する。次に、発泡抑制剤がこの泡を即時に破壊し、残りの生成された気体は、この混合液中で物理的及び／又は機械的洗浄作用を生じさせ、該混合液中の泡が壊れる時には音を立てる。芳香剤を含む実施の形態において、気体の生成によって空気中への芳香剤の放出が促進され、洗浄される面付近の空気清浄が行われる。
【００５４】
２液型洗浄組成物中の界面活性剤系、発泡抑制剤、及び任意の芳香剤の量が本発明の一つの重大な要素といえる。高いレベルの界面活性剤は、ゆっくり壊れる安定した泡を大量に発生させ、二つの液体の混合液中での物理的及び／又は機械的洗浄作用が顕著に制限されてしまう。このため、過剰発泡は、洗浄性能を妨害する。大量のゆっくり壊れる安定した泡によって、二つの液体の混合液中のノイズ発生も抑制されてしまう。よって、物理的及び／又は機械的洗浄作用が生じていることがユーザに分かる手がかりが損なわれる。また、大量のゆっくり壊れる泡の場合、気体の生成が泡を形成することのみに役立ち、芳香の放出には用いられないため、空気中への芳香の放出も制限される。一方、低いレベルの界面活性剤では、任意の芳香オイルは、あまり液体中に溶解されないため、芳香オイルの分離が盛んに起こる。この結果、洗浄剤を使用する度に芳香にムラが生じる。また、発泡抑制剤の含有レベルが低い場合は、界面活性剤の発泡特性を制御できないため、ゆっくり壊れる安定した泡が生成され、それに伴う問題も生じる。しかしながら、発泡抑制剤の含有レベルが高いと、発泡性能と、発泡した洗浄剤が表面に留まろうとする能力が共に完全に失われる。なお、芳香剤の含有量が低いと、（所望された際の）空気の清浄力が不充分となり、一方、芳香剤の含有量が高いと、芳香オイルの一部を液体中に溶解するのが困難になる。
【００５５】
第１の液体中の塩基は、炭酸塩、重炭酸塩、セスキ炭酸塩及びこれらの混合物からなる群より選択された塩基を含む。任意の好適な塩基の例としては、炭酸ナトリウム、炭酸カリウム、炭酸マグネシウム、炭酸カルシウム、炭酸アンモニウム、重炭酸ナトリウム、重炭酸カリウム、重炭酸マグネシウム、重炭酸カルシウム、重炭酸アンモニウム、セスキ炭酸ナトリウム、セスキ炭酸カリウム、セスキ炭酸カルシウム、セスキ炭酸マグネシウム、セスキ炭酸アンモニウム、及びこれらの混合物を含む。好ましくは、塩基は、炭酸ナトリウム、重炭酸ナトリウム、及びこれらの混合物から選択され、第１の液体内に含まれる水分に溶解される。より好ましくは、塩基は、炭酸ナトリウムと重炭酸ナトリウムの混合物であり、炭酸ナトリウムは、重炭酸ナトリウムの分解に対する緩衝材として働く。好ましくは、第１の液体は、該第１の液体の全重量に対して、約２重量％乃至約２０重量％の塩基を含み、最も好ましくは、第１の液体は、該第１の液体の全重量に対して、約２重量％乃至約１０重量％の塩基を含む。
【００５６】
第２の液体中の酸は、硫酸、塩酸、燐酸、硝酸、ホウ酸、蟻酸、酢酸、りんご酸、マレイン酸、コハク酸、酒石酸、乳酸、グルタル酸、グリコール酸、フマル酸、安息香酸、クエン酸、スルファミド酸、シュウ酸、及びこれらの混合物からなる群より選択された酸を含む。好ましくは、酸は、クエン酸、スルファミド酸、シュウ酸、及びこれらの混合物から選択され、最も好ましくは、酸は、クエン酸、スルファミド酸、シュウ酸の混合物である。酸は、第２の液体中に含まれる水に溶解される。好ましくは、第２の液体は、該第２の液体の全重量に対し、約５重量％乃至約２５重量％の酸を含み、最も好ましくは、第２の液体は、該第２の液体の全重量に対して、約１０重量％乃至約２０重量％の酸を含む。一つの好ましい実施の形態において、第２の液体は、該第２の液体の全重量に対し、約２重量％乃至約１０重量％のクエン酸を含み、該第２の液体の全重量に対して、約５重量％乃至約１５重量％のスルファミド酸を含む。
【００５７】
第１の液体及び／又は第２の液体に存在する界面活性系は、単一の界面活性剤又は複数の界面活性剤の混合物であってもよい。本発明の界面活性系には、アニオン系、非イオン系、両性系、両性イオン系の界面活性剤、及びこれらの混合物が好適であり、第１の液体又は第２の液体の全重量に対して、約０．００１重量％乃至約４重量％の分量で含まれ、好ましくは、第１の液体又は第２の液体の全重量に対して、約０．００１重量％乃至約２重量％の分量で含まれる。アニオン系界面活性剤、非イオン系界面活性剤、及びこれらの混合物が特に好ましい。
【００５８】
アニオン系界面活性剤の任意の例としては、一般にアルカリ金属（例えば、ナトリウム又はカリウム）の陽イオンをもたらすことにより塩基中和された硫酸イオン又は亜硫酸イオン置換基を含み、アルキル炭素数が約８乃至約２２の水溶性アルキル又はアルキルアリール化合物が挙げられ、例えば、（１）直鎖又は分枝鎖であってもよく、アルキル基中の炭素数が好ましくは８乃至１８の、ラウリル硫酸アトリウム及びドデチルベンゼンスルホン酸ナトリウムなどのアルキル、アルキルアリール硫酸塩、及びスルホン酸塩、（２）オレフィン中の炭素数が好ましくは約１０乃至１８の、Ｃ１４−１６オレフィンスルフォン酸ナトリウムなどのアルファオレフィンアリールスルフォン酸塩、及び（３）ラウリルエーテル硫酸塩ナトリウムなどのアルキルエーテル硫酸塩を含む。好ましいアニオン系界面活性剤は、アルキル硫酸塩及びアルキルエーテル硫酸塩である。
【００５９】
非イオン系界面活性剤の任意の例としては、（１）アルキル基の炭素数が約８乃至約２２、好ましくは炭素数約１２乃至約１８で、一般に分子当たり６乃至１５モルのアルコキシドを含む、脂肪アルコールアルコキシレート、特に、エトキシレート、（２）約６乃至１５モルのアルコキシレートを含む脂肪酸アルコキシレート、特にエトキシレート、（３）アルキル基の炭素数が６乃至１２（好ましくは、オクチル又はノニル）で、分子当たり約５乃至２５、好ましくは５乃至１５モルのアルキレン酸化物を含む、アルキルフェノキシアルコキシレート、特に、エトキシレート、（４）プロピレン酸化物のプロピレングリコールによる縮合によって生成された疎水性塩基による、エチレンオキシドの縮合物、（５）エチレンオキシドのアミン又はアミドによる縮合物、（６）脂肪アミンオキシド、（７）アルキロールアミド、及び（８）例えば、エトキシル化−プロポキシル化アルコールを含む低曇り点非イオン系界面活性剤が挙げられる。中でも、好ましい非イオン系界面活性剤は、脂肪アルコールエトシキレートである。
【００６０】
第１の液体及び／又は第２の液体に存在する発泡抑制剤は、シリコーン材料、芳香オイル、グリコールエーテル、及びこれらの混合物からなる群から選択される。発泡抑制剤は、第１の液体又は第２の液体の全重量に対し、約０．００１重量%乃至約３重量%、好ましくは、約０．００１重量%乃至約２重量%、最も好ましくは、約０．００１重量%乃至約１重量%の量で存在する。
【００６１】
発泡抑制剤は、第１の液体及び／又は第２の液体に存在するシリコーン材料であってもよい。発泡抑制剤として用いられるシリコーン材料は、側鎖基がアルキル、アリール、またはアルキルとアリールの混合基である、アルキル化ポリシロキサン材料であってもよい。このようなシリコーン材料の具体例としては、ジメチルポリシロキサン、ジエチルポリシロキサン、ジプロピルポリシロキサン、ジブチルポリシロキサン、メチルエチルポリシロキサン、フェニルメチルポリシロキサン等が挙げられる。本発明においては、低コストで入手が容易な点から、ジメチルポリシロキサンが特に有用である。第１の液体及び／又は第２の液体において有用な第２のタイプのシリコーン系発泡抑制剤は、上記に開示されたタイプのアルキル化シロキサンとシリカの混合物を含む。
【００６２】
発泡抑制剤は、第１の液体及び／又は第２の液体に存在する芳香オイルであってもよい。あるいは、発泡抑制剤は、第１の液体及び／又は第２の液体に存在するシリコーン材料及び／又はグリコールエーテルに由来してもよい。第１の液体及び／又は第２の液体に存在する芳香剤は、単一の芳香オイル又は一種類以上の芳香オイルの混合物を含んでいてもよい。組成物の清浄特性を特に妨害するようなことがなければ、どんな芳香剤でも好適であり、（芳香投与目的に提供される場合）芳香剤は、第１の液体又は第２の液体の全重量に対し、約０．００１重量％乃至約１重量％、好ましくは、約０．００１重量％乃至約０．６重量％の量で存在する。芳香剤が発泡抑制剤として作用するオイルを含む場合、第１の液体又は第２の液体に芳香オイルの一部が溶解せず、これによって、この溶解しない芳香オイルが（一般的に液滴の形態で）発泡抑制剤として作用する。
【００６３】
発泡抑制剤は、第１の液体及び／又は第２の液体に存在するグリコールエーテルであってもよい。発泡抑止グリコールエーテルの任意の例は、化学式Ｒ１―Ｏ―Ｒ２で表され、式中、Ｒ１は、―ＯＨで置換されたＣ１−Ｃ８の直線状、分枝状、又は環状のアルキル又はアルケニルであり、Ｒ２は、―ＯＨ又は−ＯＲ３で任意に置換されたＣ１−Ｃ８の直線状、分枝状、又は環状のアルキル又はアルケニルである（Ｒ３は、Ｃ１−Ｃ８の直線状、分枝状、もしくは環状のアルキル又はアルケニル）。好ましくは、Ｒ１は、−ＣＨ２ＣＨ２ＯＨ、−ＣＨ２ＣＨＯＨＣＨ３及び−ＣＨ２ＣＨ２ＣＨ２ＯＨから選択され、Ｒ２は、―ＯＨ又はＯＲ３で任意に置換された直線状Ｃ１−Ｃ８アルキルである（Ｒ３は、Ｃ１−Ｃ８の直線状アルキル）。より好ましくは、Ｒ１は、−ＣＨ２ＣＨＯＨＣＨ３及び−ＣＨ２ＣＨ２ＣＨ２ＯＨから選択され、Ｒ２は、−ＯＲ３で置換された直線状Ｃ１−Ｃ８のアルキルである（Ｒ３は、Ｃ１−Ｃ８の直線状アルキル）。好適なグリコールエーテルとしては、エチレングリコールｎ−ヘキシルエーテル、エチレングリコールｎ−ブチルエーテル、ジプロピレングリコールメチルエーテル、ジプロピレングリコールｎ−ブチルエーテル、プロピレングリコールｎ−ブチルエーテル及びプロピレングリコールｎ−プロピルエーテルが挙げられる。中でも、ジプロピレングリコールｎ−ブチルエーテルが好ましい。グリコールエーテルは、水溶性が低いことが好ましい。
【００６４】
本発明の２液型組成物の洗浄効率を高めるため、有機溶媒も第１の液体及び／又は第２の液体中に存在する。このような有機溶媒が当業者によく知られている。好ましい溶媒としては、エタノールなどの低級アルカノールが挙げられる。第１の液体及び／又は第２の液体中に存在する場合、溶媒は、該第１の液体又は該第２の液体の全重量に対し、一般に、約０．００１重量％乃至約５重量％、好ましくは、約０．００１重量％乃至約２重量％の量で存在する。
【００６５】
ヒドロトロープも、界面活性剤と溶媒（存在する場合）の混合を促進するともに第１の液体又は第２の液体の曇り点を上昇させるべく、第１の液体及び／又は第２の液体に存在してよい。従って、ヒドロトロープの量は、溶媒及び界面活性剤の濃度によって決まる。ヒドロトロープの例としては、芳香スルホン酸塩のアルカリ金属塩が挙げられる。好ましいヒドロトロープは、キシレンスルホン酸塩ナトリウムである。他のヒドロトロープの例としては、ブチルモノグリコール硫酸ナトリウム、トルエンスルホン酸ナトリウム、及びクメンスルホン酸ナトリウムが挙げられる。第１の液体及び／又は第２の液体中に存在する場合、ヒドロトロープは、該第１の液体又は該第２の液体の全重量に対し、一般に、約０．００１重量％乃至約５重量％、好ましくは、約０．００１重量％乃至約２重量％の量で存在する。
【００６６】
増粘剤を、第１の液体及び／又は第２の液体の粘度を高め、上記のように、制御された均等な投与が達成できるように使用してよい。しかしながら、任意に添加される増粘剤は、２液型洗浄組成物の洗浄作用を損なうほど多量に添加されてはならない。増粘剤の量は、増粘剤の性質と２液型組成物の他の成分によって決まる。これら２液型組成物中の他の成分が、該成分の他の特性に加えて、該２液型組成物の第１と第２の液体に適切な粘度を付与するための増粘剤として作用してもよい。例えば、ブルックフィールド（Ｂｒｏｏｋｆｉｅｌｄ）粘度計を用い、２５℃、Ｎｏ．１スピンドルで６０回転／分させて測定した時に、粘度が１０乃至３０センチポイズであるのが好適である。第１の液体及び／又は第２の液体中に存在する場合、増粘剤は、一般に、該第１の液体又は該第２の液体の全重量に対して、約０．００１重量％乃至約１重量％の量で存在する。増粘剤は、有機ポリマー材料、無機化合物、及びこれらの混合物であってもよい。好適な有機ポリマー増粘剤は、バイオポリマー、架橋ポリアクリレート、変性アクリレート、及びこれらの混合物の少なくとも一つから選択される。バイオポリマーは、キサンタン又はウェランゴムであってもよい。好適な無機増粘剤は、緑粘土、合成ヘクトライト、アルミノシリケート、及びアタパルジャイトの少なくとも一つから選択される。
【００６７】
第１の液体及び／又は第２の液体には、発泡安定剤も使用してよい。好適な発泡安定剤は、アルキルセルロース及びヒドロキシアルキルセルロース（例：ヒドロキシエチルセルロース）などのセルロース材料を含む。第１の液体及び／又は第２の液体中に存在する場合、発泡安定剤は、該第１の液体又は該第２の液体の全重量に対し、一般に、約０．００１重量％乃至約１重量％の量で存在する。
【００６８】
所望される色相を得るために、第１の液体及び／又は第２の液体には、製品の適性を損なわない限り、染料も使用してよい。第１の液体及び／又は第２の液体に存在する場合、染料は、該第１の液体又は該第２の液体の全重量に対し、一般に、約０．０００１重量％乃至約１重量％の量で存在する。
【００６９】
本発明の洗浄組成物の第１の液体と第２の液体は水性組成物である。水は、洗浄組成物の第１の液体と第２の液体の、通常、少なくとも６０重量％、好ましくは、少なくとも８０重量％含まれる。
【実施例】
【００７０】
以下の実施例は、本発明を更に説明するために利用され、本発明を限定することを一切意図しない。
【００７１】
（実施例１）
便器洗浄に適した２液型洗浄剤を、別々の容器（一つは塩基側、他は酸性側）内で以下の表１の成分を混合することによって調製した。
【表１】
2005535527.tif 000003
【００７２】
ラウリルエーテル硫酸ナトリウム（アニオン系界面活性剤）は、商品名「エンピコル（Ｅｍｉｐｉｃｏｌ）ＥＳＢ７０Ｆ」で市販されている界面活性剤を使用し、エトキシル化Ｃ１２−１５アルコール（非イオン系界面活性剤）は、商品名「ルテンゾル（Ｌｕｔｅｎｓｏｌ）Ａ０８」で市販されている界面活性剤を使用した。
【００７３】
（実施例２）
便器洗浄に適した２液型洗浄剤を、別々の容器（一つは塩基側、他は酸性側）内で以下の表２の成分を混合することによって調製した。
【表２】
2005535527.tif 000004
【００７４】
ポリジメチルシロキサン（発泡抑制剤）は、ＯＳＩスペシアリティズ（Ｓｐｅｃｉａｌｉｔｉｅｓ）社製の商品名「ＳＡＧ１０」で市販されているシリカ充填ポリジメチルシロキサンを使用した。キサンタンゴムは、Ｃ．Ｐ．ケルコ（Ｋｅｌｃｏ）社製の商品名「ケルツァン（Ｋｅｌｚａｎ）ＡＳＸ」で市販されているものを使用した。（洗浄対象物）の表面に適用したところ、耳に聴こえるシューっという音と共に瞬時に消える泡が形成され、同時に該表面に芳香が漂った。
【００７５】
（実施例３）
便器洗浄に適した２液型洗浄剤を、別々の容器（一つは塩基側、他は酸性側）内で以下の表３の成分を混合することによって調製した。
【表３】
2005535527.tif 000005
【００７６】
ステパンケミカルズ（Ｓｔｅｐａｎ  Ｃｈｅｍｉｃａｌｓ）社製の商品名「ステパネート（Ｓｔｅｐａｎａｔｅ）ＳＸＳ」で市販されているキシレン硫酸ナトリウムをアニオン系ヒドロトロープとして使用した。コニス社（Ｃｏｇｎｉｓ  Ｃｏｒｐ．）社製の商品名「ユーマルギン（Ｅｕｍｕｌｇｉｎ）Ｌ」で市販されているエトキシル化プロポキシル化アルコールを非イオン系界面活性剤として使用した。ＯＳＩスペシアリティズ（Ｓｐｅｃｉａｌｉｔｉｅｓ）社製の商品名「ＳＡＧ１０」で市販されているシリカ充填ポリジメチルシロキサンを発泡抑制剤として使用した。Ｃ．Ｐ．ケルコ（Ｋｅｌｃｏ）社製の商品名「ケルツァン（Ｋｅｌｚａｎ）ＡＳＸ」で市販されているキサンタンゴムを増粘剤として使用した。ヘルキュール（Ｈｅｒｃｕｌｅｓ）社の商品名「ナトロゾール（Ｎａｔｒｏｚｏｌ）２５０ＨＨＲ」で市販されているヒドロキシエチルセルロースを発泡安定剤として使用した。（洗浄対象物）の表面に適用したところ、耳に聴こえるシューっという音と共に瞬時に消える泡が形成され、同時に該表面に芳香が漂った。
【００７７】
（実施例４）
便器洗浄に適した２液型洗浄剤を、別々の容器（一つは塩基側、他は酸性側）内で、以下の表４の成分を混合することによって調製した。
【表４】
2005535527.tif 000006
【００７８】
ステパンケミカルズ（Ｓｔｅｐａｎ  Ｃｈｅｍｉｃａｌｓ）社製の商品名「ステパネート（Ｓｔｅｐａｎａｔｅ）ＳＸＳ」で市販されているキシレン硫酸ナトリウムをアニオン系ヒドロトロープとして使用した。コニス社（Ｃｏｇｎｉｓ  Ｃｏｒｐ．）社製の商品名「ユーマルギン（Ｅｕｍｕｌｇｉｎ）Ｌで市販されているエトキシル化プロポキシル化アルコールを非イオン系界面活性剤として使用した。Ｃ．Ｐ．ケルコ（Ｋｅｌｃｏ）社製の商品名「ケルツァン（Ｋｅｌｚａｎ）ＡＳＸ」で市販されているキサンタンゴムを増粘剤として使用した。ヘルキュール（Ｈｅｒｃｕｌｅｓ）社の商品名「ナトロゾール（Ｎａｔｒｏｚｏｌ）２５０ＨＨＲ」で市販されているヒドロキシエチルセルロースを発泡安定剤として使用した。（洗浄対象物）の表面に適用したところ、耳に聴こえるシューっという音と共に瞬時に消える泡が形成され、同時に該表面に芳香が漂った。
【００７９】
（実施例５）
便器洗浄に適した２液型洗浄剤を、別々の容器（一つは塩基側、他は酸性側）内で以下の表５の成分を混合することによって調製した。
【表５】
2005535527.tif 000007
【００８０】
ステパンケミカルズ（Ｓｔｅｐａｎ  Ｃｈｅｍｉｃａｌｓ）社製の商品名「ステパネート（Ｓｔｅｐａｎａｔｅ）ＳＸＳ」で市販されているキシレン硫酸ナトリウムをアニオン系ヒドロトロープとして使用した。バスフ社（ＢＡＳＦ  Ｃｏｒｐ．）製の商品名「ルテンゾル（Ｌｕｔｅｎｓｏｌ）Ａ０８」で市販されているエトキシル化アルコールを非イオン系界面活性剤として使用した。Ｃ．Ｐ．ケルコ（Ｋｅｌｃｏ）社製の商品名「ケルツァン（Ｋｅｌｚａｎ）ＡＳＸ」で市販されているキサンタンゴムを増粘剤として使用した。ヘルキュール（Ｈｅｒｃｕｌｅｓ）社の商品名「ナトロゾール（Ｎａｔｒｏｚｏｌ）２５０ＨＨＲ」で市販されているヒドロキシエチルセルロースを発泡安定剤として使用した。（洗浄対象物）の表面に適用したところ、耳に聴こえるシューっという音と共に瞬時に消える泡が形成され、同時に該表面に芳香が漂った。
【００８１】
従って、本発明は、２液型洗浄剤の化学反応の有利な機械的洗浄作用を制限しない発泡特性を有する２液型洗浄組成物を提供することが理解される。また、この２液型洗浄組成物は、発泡特性と空気清浄特性のバランスが改良されているので、本発明の洗浄剤は、硬面の洗浄および硬面付近の空気の清浄化の両方において有利である。また、本発明は、２液（剤）型洗浄組成物を投与するための２コンパートメント容器であって、二つの成分が該容器から均等に投与される２コンパートメント容器を提供することである。また、本発明は、人間工学的に有利な投与位置を提供する。
【００８２】
本発明はいくつかの実施の形態についてかなり具体的に説明されているが、当業者らは、発明を限定するのではなく、例証するために提供された本明細書中に記載されている上記の実施の形態以外の実施の形態によっても本発明が実施可能であることを容易に理解するであろう。従って、添付クレームの範囲は、本明細書中に含まれる実施の形態の記述に制限されない。。
【産業上の利用可能性】
【００８３】
本発明は、便器などの硬面に用いられる液状の２液型洗浄組成物、及び液状の２液型洗浄組成物を投与するためのボトルに関する。
【図面の簡単な説明】
【００８４】
【図１】本明細書に記載のボトルの正面から見た斜視図である。
【図２】図１のボトルを後方から見た斜視図である。
【図３】図１のボトルの分解斜視図である。
【図４】図１のボトルの右側面図である。
【図５】図１のボトルの背面図である。
【図６】図１のボトルの正面図である。
【図７】ボトルに蓋を取付ける時の図１のボトルの上部の部分図である。
【図８】図１のボトルの頂部の部分図である。
【図９】図１のボトルのノズルの底面図である。
【図１】
2005535527.tif 000008
【図２】
2005535527.tif 000009
【図３】
2005535527.tif 000010
【図４】
2005535527.tif 000011
【図５】
2005535527.tif 000012
【図６】
2005535527.tif 000013
【図７】
2005535527.tif 000014
【図８】
2005535527.tif 000015
【図９】
2005535527.tif 000016
【国際調査報告】
2005535527.tif 000017
2005535527.tif 000018
2005535527.tif 000019